(57)【要約】  二酸化炭素（Ｆ）を臨界圧力より高圧の目標圧力に圧縮する複数段の圧縮機（２）と、複数段の圧縮機（２）の段間で、前段の圧縮機（２）から吐出された二酸化炭素（Ｆ）を冷却する中間クーラ（４）と、最終段の第七段圧縮機（１７）とその前段の第六段圧縮機（１６）との段間で、二酸化炭素（Ｆ）を冷却するサブクーラ（５）と、第七段圧縮機（１７）の入口に接続され、第七段圧縮機（１７）の入口での二酸化炭素（Ｆ）を抽気して減圧し、サブクーラ（５）に冷媒として供給するバイパスライン（６）と、バイパスライン（６）に設けられた流量調整弁（７）と、第七段圧縮機（１７）の入口での二酸化炭素（Ｆ）の温度及び圧力のうちの少なくとも一方が一定となるように、流量調整弁（７）の開度を調節する制御部（８）と、を備える昇圧システム（１）である。
2018051428.tif 000002
【特許請求の範囲】
【請求項１】
気体を臨界圧力より高圧の目標圧力に圧縮する複数段の圧縮機と、
前記複数段の圧縮機の段間で、前段の圧縮機から吐出された前記気体を冷却する中間クーラと、
最終段の圧縮機と該最終段の前段の圧縮機との段間で、前記気体を冷却するサブクーラと、
前記最終段の圧縮機の入口に接続され、前記最終段の圧縮機の入口での前記気体を抽気し、前記サブクーラに冷媒として供給するバイパスラインと、
前記バイパスラインに設けられて、抽気された前記気体を前記サブクーラの上流で減圧する流量調整弁と、
前記最終段の圧縮機の入口での前記気体の温度及び圧力のうちの少なくとも一方が一定となるように、前記流量調整弁の開度を調節する制御部と、
を備える昇圧システム。
【請求項２】
前記バイパスラインは、前記最終段の圧縮機の入口と、前記最終段の前段の圧縮機の入口とを接続し、
前記制御部は、前記最終段の前段の圧縮機でのサージングの発生を抑制するように、前記流量調整弁の開度を調節する請求項１に記載の昇圧システム。
【請求項３】
前記最終段の圧縮機の入口での前記気体の温度及び圧力のうちの少なくとも一方を計測するセンサをさらに備え、
前記制御部は、前記センサの計測値に基づいて前記流量調整弁の開度を調節する請求項１又は２に記載の昇圧システム。
【請求項４】
前記最終段の圧縮機の出口と前記サブクーラの入口とを接続して、前記最終段の圧縮機の出口からの前記気体を、前記サブクーラを介して前記最終段の圧縮機の入口に供給可能とするリサイクルラインをさらに備える請求項１から３のいずれか一項に記載の昇圧システム。
【請求項５】
気体が臨界圧力より高圧の目標圧力となるように、前記気体の圧縮と冷却とを段階的に繰り返す圧縮冷却工程と、
前記圧縮冷却工程における前記気体の最後の圧縮の前に、前記気体をさらに冷却可能なサブクーリング工程と、
前記圧縮冷却工程における最後の圧縮の前に、前記気体を抽気して減圧し、前記サブクーリング工程での前記気体を冷却する冷媒として用いる抽気工程と、
前記圧縮冷却工程における最後の圧縮の直前の前記気体の温度及び圧力のうちの少なくとも一方が一定となるように、前記抽気工程で抽気される前記気体の流量を調整する流量調整工程と、
を含む気体の昇圧方法。
【発明の詳細な説明】
【技術分野】
【０００１】
本発明は、気体の昇圧を行う昇圧システム、及び昇圧方法に関する。
【背景技術】
【０００２】
昇圧システムは、対象となる気体を目標圧力まで昇圧する装置である。
近年、温室効果ガスとして知られる二酸化炭素の排出量増大によって地球温暖化等の問題が顕在化してきている。特に火力発電所の排気ガスには大量の二酸化炭素が含まれており、この二酸化炭素を分離・回収した後に、昇圧システムによって昇圧し、地中や海底へ貯留することで大気中の二酸化炭素を低減する技術が知られている。【０００３】
より具体的には、昇圧システムでは、多段に設けられた圧縮機及び中間冷却器によって二酸化炭素の圧縮と冷却を繰り返し行い、臨界圧力以上、かつ、臨界温度以上の状態となった二酸化炭素を、その後さらに冷却等することで、輸送及び貯留に最適な温度及び圧力の二酸化炭素を得ている。【０００４】
ここで特許文献１に開示された昇圧システムでは、臨界圧力以上の状態となった二酸化炭素（中間超臨界圧液体）の一部を、ポンプ部の手前で抽出して臨界圧力近傍まで減圧し、自ガスである二酸化炭素の冷却に冷媒として用いている。特許文献１に開示された昇圧システムでは、このように自ガスを冷媒として用いることで、一般的な冷却器（シェルアンドチューブ型の熱交換器）のみを用いて二酸化炭素を冷却する場合に比べて、さらにポンプ部での昇圧に適した臨界温度近傍まで二酸化炭素を冷却できるので、昇圧に要する動力（ヘッド）を低減することが可能である。
【先行技術文献】
【特許文献】
【０００５】
【特許文献１】特許第５８２６２６５号公報
【発明の概要】
【発明が解決しようとする課題】
【０００６】
ところで、最終的に必要な二酸化炭素の圧力が１０［ＭＰａ］程度であれば、上記特許文献１の昇圧システムに開示されたようなポンプを最終の昇圧段で用いることなく、圧縮機のみで二酸化炭素の昇圧を行うことが可能である。この場合、一般的に圧縮機の最終段入口は臨界圧力以上の状態となるので、臨界圧力以上かつ、臨界温度近傍の領域は物性変化しやすい領域のため、安定した圧縮機での昇圧を可能とするためには、最終段の圧縮機に供給する二酸化炭素は物性変化しやすい領域（遷移域）を避けて、ある一定温度以上（例えば６０℃以上）でなければならない。
しかしながら、特許文献１のように中間冷却器で冷却後、さらに自ガスを冷媒として用いて二酸化炭素を冷却した場合、二酸化炭素の温度が下がりすぎ、温度が上記の遷移域に入り、圧縮機での圧縮に適さない状態となってしまう可能性がある。【０００７】
本発明は、超臨界圧力の気体を十分に、かつ、安定して冷却し、冷却後に圧縮機での圧縮に適した状態の気体を得ることが可能な昇圧システム、及び気体の昇圧方法を提供する。
【課題を解決するための手段】
【０００８】
本発明の第一の態様に係る昇圧システムは、気体を臨界圧力より高圧の目標圧力に圧縮する複数段の圧縮機と、前記複数段の圧縮機の段間で、前段の圧縮機から吐出された前記気体を冷却する中間クーラと、最終段の圧縮機と該最終段の前段の圧縮機との段間で、前記気体を冷却するサブクーラと、前記最終段の圧縮機の入口に接続され、前記最終段の圧縮機の入口での前記気体を抽気し、前記サブクーラに冷媒として供給するバイパスラインと、前記バイパスラインに設けられて、抽気された前記気体を前記サブクーラの上流で減圧する流量調整弁と、前記最終段の圧縮機の入口での前記気体の温度及び圧力のうちの少なくとも一方が一定となるように、前記流量調整弁の開度を調節する制御部と、を備えている。【０００９】
サブクーラとバイパスラインとを設け、最終段の圧縮機の入口から抽気して減圧した気体をサブクーラで冷媒として用い、制御部でバイパスラインに設けられた流量調整弁の開度を調節することで、自ガスのフラッシュガスによって最終段の圧縮機の入口へ供給する気体の温度及び圧力の少なくとも一方を調整することができる。このため、中間クーラの冷媒温度が外気温度等の外的要因などの影響により変化し、中間クーラで冷却された気体の温度が変化した場合や、その結果、圧力が変化した場合にも、最終段の圧縮機の入口へ供給する気体の温度及び圧力のうちの少なくとも一方を一定に保つことが容易となる。よって、気体の大きな物性の変化を抑え、気体を十分に、かつ、安定して冷却することが可能である。よって、大きく物性変化しやすい領域を避けて、例えば従来は中間冷却器で６０℃までしか冷却していなかった気体を、本発明では４０℃まで冷却することが可能となり、最終段の圧縮機で昇圧する際の動力（ヘッド）を低減できる。【００１０】
本発明の第二の態様に係る昇圧システムでは、上記第一の態様における前記バイパスラインは、前記最終段の圧縮機の入口と、前記最終段の前段の圧縮機の入口とを接続し、前記制御部は、前記最終段の前段の圧縮機でのサージングの発生を抑制するように、前記流量調整弁の開度を調節してもよい。【００１１】
最終段の前段の圧縮機で圧縮された気体は、バイパスラインを通して該最終段の前段の圧縮機の入口に戻る。このため、バイパスラインはリサイクルラインとなり、バイパスラインの流量調整弁の開度を調節することで、流量調整弁を最終段の前段の圧縮機でのサージングの発生を抑制するためのアンチサージ弁として使用できる。
また、流量調節弁の下流のサブクーラ（冷媒側）は、流量調整弁で減圧して低温となった気体を加熱した状態で、該最終段の前段の圧縮機へ供給することができる。よって、サブクーラをリサイクルガス（バイパスラインを流通する気体）のリサイクルヒータとして用いることができる。このため、リサイクルガスを加熱するために別途のリサイクルヒータを設けることなく、該最終段の前段の圧縮機に供給する気体を加熱し、サージングを回避するためのリサイクル運転ができる。【００１２】
本発明の第三の態様に係る昇圧システムでは、上記第一又は第二の態様における昇圧システムが前記最終段の圧縮機の入口での前記気体の温度及び圧力のうちの少なくとも一方を計測するセンサをさらに備え、前記制御部は、前記センサの計測値に基づいて前記流量調整弁の開度を調節してもよい。【００１３】
このようなセンサの計測値を基に流量調整弁の開度を調節することができるため、最終段の圧縮機の入口へ供給する気体の温度及び圧力のうちの少なくとも一方を一定に保ち、気体の大きな物性変化を回避できる。【００１４】
本発明の第四の態様に係る昇圧システムでは、上記第一から第三の態様のいずれかの態様における昇圧システムが、前記最終段の圧縮機の出口と前記サブクーラの入口とを接続して、前記最終段の圧縮機の出口からの前記気体を、前記サブクーラを介して前記最終段の圧縮機の入口に供給可能とするリサイクルラインをさらに備えていてもよい。【００１５】
このようなリサイクルラインが設けられていることで、最終段の圧縮機で圧縮された気体をリサイクルガスとして最終段の圧縮機の入口へ戻すことで、最終段の圧縮機を流通する気体の流量を増大させることができる。よって最終段の圧縮機でサージングの発生を抑制することが可能である。またリサイクルラインを通じて、最終段の圧縮機で圧縮された気体をサブクーラを介して最終段の圧縮機の入口へ戻すことで、リサイクルラインからの気体をサブクーラで冷却した状態で、最終段の圧縮機に供給することができる。よって、サブクーラをリサイクルガスのリサイクルクーラとして用いることができる。このため、リサイクルガスを冷却するために別途のリサイクルクーラを設けることなく、最終段の圧縮機に供給する気体を冷却し、サージングを回避するためのリサイクル運転ができる。【００１６】
本発明の第五の態様に係る気体の昇圧方法は、気体が臨界圧力より高圧の目標圧力となるように、前記気体の圧縮と冷却とを段階的に繰り返す圧縮冷却工程と、前記圧縮冷却工程における前記気体の最後の圧縮の前に、前記気体をさらに冷却可能なサブクーリング工程と、前記圧縮冷却工程における最後の圧縮の前に、前記気体を抽気して減圧し、前記サブクーリング工程での前記気体を冷却する冷媒として用いる抽気工程と、前記圧縮冷却工程における最後の圧縮の直前の前記気体の温度及び圧力のうちの少なくとも一方が一定となるように、前記抽気工程で抽気される前記気体の流量を調整する流量調整工程と、を含んでいる。【００１７】
最終段の圧縮機の入口から抽気して減圧した気体をサブクーリング工程で冷媒として用い、流量調整工程を実行することで、自ガスのフラッシュガスによって最終段の圧縮機の入口へ供給する気体の温度及び圧力のうちの少なくとも一方を一定に調整することができる。このため、最終段の圧縮機の入口へ供給する気体を十分に、かつ、安定して冷却することが可能である。よって最終段の圧縮機で昇圧する際の動力（ヘッド）を低減できる。
【発明の効果】
【００１８】
本発明の昇圧システム及び気体の昇圧方法によれば、超臨界圧力の気体を十分に、かつ、安定して冷却でき、冷却後に圧縮機での圧縮に適した状態の気体を得ることが可能である。
【図面の簡単な説明】
【００１９】
【図１】本発明の実施形態に係る昇圧システムの概略を示す系統図である。
【図２】本発明の実施形態に係る昇圧システムで昇圧される二酸化炭素の状態を示すＰ−ｈ線図である。
【図３】本発明の実施形態に係る昇圧システムを用いた昇圧方法のフロー図である。
【発明を実施するための形態】
【００２０】
以下、本発明の実施形態に係る昇圧システム１について説明する。本実施形態の昇圧システム１は、地中や海底へ貯留可能となるように気体の二酸化炭素Ｆを所定の圧力、温度まで昇圧するギアド圧縮機である。このギアド圧縮機は、複数のインペラを、歯車を介して連動させた多軸多段構成の圧縮機である。
【００２１】
図１に示すように、昇圧システム１は、気体の二酸化炭素Ｆを取り込んで圧縮する複数段に設けられた圧縮機２と、圧縮機２の段間に設けられた中間クーラ４と、最終段の圧縮機２と最終段の前段の圧縮機２との段間に設けられたサブクーラ５をと備えている。
また、昇圧システム１は、最終段の圧縮機２の入口と、サブクーラ５とを接続するバイパスライン６と、バイパスライン６に設けられた流量調整弁７と、流量調整弁７の開度を調節する制御部８とを備えている。
【００２２】
本実施形態では七段の圧縮機２が設けられている。即ち、低段側から高段側に向かって第一段圧縮機１１、第二段圧縮機１２、第三段圧縮機１３、第四段圧縮機１４、第五段圧縮機１５、第六段圧縮機１６（最終段の前段の圧縮機２）、及び第七段圧縮機１７（最終段の圧縮機２）が設けられている。各々の圧縮機２は気体を回転によって圧縮するインペラを有している。
【００２３】
本実施形態では、第二段圧縮機１２と第三段圧縮機１３とが組となって同軸に設けられ、第四段圧縮機１４と第五段圧縮機１５とが組となって同軸に設けられ、第六段圧縮機１６と第七段圧縮機１７とが組となって同軸に設けられている。そして第一段圧縮機１１の軸と、上記各々の組の軸とが歯車１０を介して接続されている。
【００２４】
中間クーラ４は、圧縮機２同士の段間を接続する管路９に一ずつ設けられている。中間クーラ４は、本実施形態では全ての圧縮機２の段間に設けられている。即ち、中間クーラ４は、低段側から高段側に向かって、管路９ａに設けられた第一中間クーラ２１、管路９ｂに設けられた第二中間クーラ２２、管路９ｃに設けられた第三中間クーラ２３、管路９ｄに設けられた第四中間クーラ２４、管路９ｅに設けられた第五中間クーラ２５、及び管路９ｆに設けられた第六中間クーラ２６である。
【００２５】
各々の中間クーラ４は、例えば、シェルアンドチューブ型の熱交換器である。
中間クーラ４では、冷媒として冷却水が使用される。各々の中間クーラ４は、前段の圧縮機２から吐出された二酸化炭素Ｆを冷却し、後段の圧縮機２に供給する。
【００２６】
このような複数段の圧縮機２と中間クーラ４とによって、第一段圧縮機１１に吸い込んだ二酸化炭素Ｆを、臨界圧力の７．４［ＭＰａ］よりも高圧の目標圧力となるように圧縮して昇圧する。本実施形態では、第六段圧縮機１６によって臨界圧力以上の圧力に昇圧され、その後さらに、第七段圧縮機１７によって目標圧力となる例えば１２［ＭＰａ］程度まで昇圧される。
【００２７】
サブクーラ５は、第六段圧縮機１６と第七段圧縮機１７との間を接続する管路９ｆに、第六中間クーラ２６の出口と、第七段圧縮機１７の入口との間に設けられている。サブクーラ５は、例えば複数のプレートが積層されたいわゆるマルチチャンネルプレート型の熱交換器が用いられる。このような熱交換器は、冷媒が流通する流路が形成されたプレートと、被冷却流体（本実施形態では二酸化炭素Ｆ）が流通する流路が形成されたプレートとが交互に積層された構造を有している。
【００２８】
バイパスライン６の一端は、第六段圧縮機１６と第七段圧縮機１７とを接続する管路９ｆに接続されている。より具体的には、この一端は、第七段圧縮機１７の入口とサブクーラ５の出口との間で、管路９ｆに接続されている。
【００２９】
バイパスライン６の他端は、第五段圧縮機１５と第六段圧縮機１６とを接続する管路９ｅに接続されている。より具体的には、この他端は、第六段圧縮機１６の入口と、第五中間クーラ２５の出口との間で、管路９ｅに接続されている。また、バイパスライン６はサブクーラ５を通過するようにサブクーラ５にも接続されている。バイパスライン６は第七段圧縮機１７の入口での二酸化炭素Ｆを抽気して、この抽気した二酸化炭素Ｆを冷媒として、サブクーラ５に供給可能となっている。
【００３０】
流量調整弁７は、バイパスライン６の一端と、サブクーラ５との間に設けられている。流量調整弁７の開度が調節されることによって、第七段圧縮機１７の入口から抽気された二酸化炭素Ｆがジュールトムソン効果によって減圧され、低温の冷媒が生成される。本実施形態では、二酸化炭素Ｆは臨界圧力以下の５［ＭＰａ］程度まで減圧される。そして、減圧された二酸化炭素Ｆは、サブクーラ５において、第六段圧縮機１６と第七段圧縮機１７とを接続する管路９ｆを流通する二酸化炭素Ｆとの間で熱交換を行った後、第五段圧縮機１５と第六段圧縮機１６とを接続する管路９ｅ内の相当圧力の位置で、この管路９ｅにバイパスライン６の他端から流入するようになっている（図２の破線参照）。
【００３１】
制御部８は、第七段圧縮機１７の入口での二酸化炭素Ｆの温度及び圧力のうちの少なくとも一方が一定となるように流量調整弁７の開度を調整し、バイパスライン６を流通する二酸化炭素Ｆ、即ち、サブクーラ５での冷媒の流量を調整する。
【００３２】
ここで、バイパスライン６の一端と、第七段圧縮機１７の入口との間で、管路９ｆには温度センサ３１、及び圧力センサ３２の少なくとも一方が設けられている。そして温度センサ３１で計測した温度の計測値（又は、圧力センサ３２で計測した圧力の計測値）に基づいて制御部８が流量調整弁７の開度を調整する。
【００３３】
本実施形態では、昇圧システム１は、さらに、第五段圧縮機１５と第六段圧縮機１６とを接続する管路９ｅに設けられたディハイドレータ４１と、第一段圧縮機１１の入口に設けられた一段インレットガイドベーン５１と、第六段圧縮機１６の入口に設けられた六段インレットガイドベーン５２と、第五段圧縮機１５の出口と第一段圧縮機１１の入口とを接続する低段側リサイクルライン６１と、第七段圧縮機１７の出口と第六段圧縮機１６の入口を接続する高段側リサイクルライン６２と、第七段圧縮機１７の出口に設けられたアフタークーラ７１とを備えている。
【００３４】
ディハイドレータ４１は、第五中間クーラ２５の出口と第六段圧縮機１６の入口との間に設けられて、管路９ｅを流通する二酸化炭素Ｆの除湿を行う。
【００３５】
一段インレットガイドベーン５１は、第一段圧縮機１１の入口に設けられて、第一段圧縮機１１へ供給される二酸化炭素Ｆの流量を調整する。六段インレットガイドベーン５２は、第六段圧縮機１６の入口に設けられて、第六段圧縮機１６へ供給される二酸化炭素Ｆの流量を調整する。六段インレットガイドベーン５２は、第六段圧縮機１６とディハイドレータ４１との間に配置されている。
【００３６】
低段側リサイクルライン６１の一端は第五段圧縮機１５の出口であって、かつ、第五中間クーラ２５の出口に接続されている。低段側リサイクルライン６１の他端は第一段圧縮機１１の入口であって、一段インレットガイドベーン５１の入口に接続されている。
【００３７】
低段側リサイクルライン６１には調整弁６３が設けられている。調整弁６３の開度が調整されることで、低段側リサイクルライン６１を通じて第五中間クーラ２５の出口から第一段圧縮機１１の入口に向かって流通する二酸化炭素Ｆ、即ち、リサイクルガスの流量が調整される。
【００３８】
高段側リサイクルライン６２の一端は第七段圧縮機１７の出口に接続されている。高段側リサイクルライン６２の他端は第六段圧縮機１６の出口であって、第六中間クーラ２６の出口で、かつ、サブクーラ５の入口で管路９ｆに接続されている。高段側リサイクルライン６２には調整弁６４が設けられている。調整弁６４の開度が調整されることで、高段側リサイクルライン６２を通じて第七段圧縮機１７の出口からサブクーラ５の入口に向かって流通する二酸化炭素Ｆ、即ち、リサイクルガスの流量が調整される。
【００３９】
アフタークーラ７１は、第七段圧縮機１７の出口であって、高段側リサイクルライン６２の一端よりも下流側に設けられている。アフタークーラ７１は、第七段圧縮機１７から吐出された二酸化炭素Ｆをさらに冷却する。本実施形態では、第七段圧縮機１７から吐出された二酸化炭素Ｆは臨界温度（３１．１［℃］）よりも高い４０〔℃〕程度まで冷却される。
【００４０】
次に、図２のＰ−ｈ線図を参照して、二酸化炭素Ｆの状態変化の様子、及び二酸化炭素Ｆの昇圧方法について説明する。
【００４１】
第一段圧縮機１１に導入された二酸化炭素Ｆ（状態１Ｓ）は、第一段圧縮機１１によって圧縮されて状態１Ｓよりも高圧で、かつ高温の状態１Ｄとなる。その後、第一中間クーラ２１によって等圧で冷却されて状態２Ｓとなる。そして二酸化炭素Ｆは、圧縮機２と中間クーラ４とによって圧縮と冷却を繰り返して、状態２Ｓ→状態２Ｄ→状態３Ｓ→状態３Ｄ→状態４Ｓ→状態４Ｄ→状態５Ｓ→状態５Ｄ→状態６Ｓ→状態６Ｄと変化する。そして、二酸化炭素Ｆの圧力は第六段圧縮機１６によって臨界圧力以上となる（圧縮冷却工程ＳＴ１）。
【００４２】
状態６Ｄとなった二酸化炭素Ｆは、その後、第六中間クーラ２６とサブクーラ５とに順に流入して、状態Ｘを経て４０〔℃〕程度まで等圧で冷却され、状態７Ｓとなる（圧縮冷却工程ＳＴ１、サブクーリング工程ＳＴ２）。即ち、二酸化炭素Ｆはサブクーラ５へ供給されることで一定の温度（一定の圧力）となるように、ある設定値（本実施形態では４０〔℃〕程度）に一定に保たれるように制御され、状態７Ｓとなる。
状態Ｘは、超臨界圧力、かつ超臨界温度の二酸化炭素のうち、物性が安定な領域のうちの最も物性が不安定な線Ｚ上に位置している。線Ｚから図２の紙面に向かって右側へ離れる程（温度が高いほど）、物性が安定している。
【００４３】
サブクーラ５で冷却されて状態７Ｓとなった二酸化炭素Ｆの一部は、バイパスライン６によって抽気されて減圧され、状態６Ｓと同等の圧力（本実施形態では５［ＭＰａ］程度）で、かつ、状態６Ｓよりも低温の状態Ｙの二酸化炭素Ｆとなる。この二酸化炭素Ｆはサブクーラ５で冷媒に用いられることで昇温し、状態６Ｓと同等の圧力、及び温度となって、第六段圧縮機１６の入口で管路９ｅ内の二酸化炭素Ｆと合流する（抽気工程ＳＴ３）。
【００４４】
また抽気工程ＳＴ３で抽気されて冷媒としてバイパスライン６を流通する二酸化炭素Ｆの流量は、サブクーラ５で冷却されて生成され、第七段圧縮機１７に供給される二酸化炭素Ｆ（状態７Ｓ）の温度及び圧力のうちの少なくとも一方が一定となるように、制御部８によって流量が調整される（流量調整工程ＳＴ４）。
【００４５】
そして、二酸化炭素Ｆ（状態７Ｓ）は、第七段圧縮機１７でさらに圧縮されて状態７Ｄとなり（（圧縮冷却工程ＳＴ１）、アフタークーラ７１によって等圧で冷却されて、臨界温度以上の温度（本実施形態では４０〔℃〕程度）で、かつ超臨界圧力状態（目標圧力の状態）の二酸化炭素Ｆが生成される。
【００４６】
このような昇圧システム１によると、最終段の圧縮機２である第七段圧縮機１７の入口から抽気して減圧した二酸化炭素Ｆを、バイパスライン６によってサブクーラ５に供給し、サブクーラ５で冷媒として用い、制御部８がバイパスライン６に設けられた流量調整弁７の開度を調節している。よって、自ガスのフラッシュガスによって第七段圧縮機１７の入口へ供給する二酸化炭素Ｆの温度（圧力）を一定に調節しながら冷却を行うことができる。
【００４７】
このため、第六中間クーラ２６による冷却後の二酸化炭素Ｆの温度が変化した場合、また、その結果、圧力が変化した場合にも、第七段圧縮機１７の入口へ供給する二酸化炭素Ｆの温度（圧力）を十分に、かつ、安定して制御することが可能である。よって二酸化炭素Ｆを大きな物性変化が起こる領域まで冷却して、第七段圧縮機１７で昇圧する際の動力（ヘッド）を低減でき、昇圧システム１の圧縮機２の段数低減が可能となる。
【００４８】
さらに本実施形態では、制御部８が温度センサ３１及び圧力センサ３２のうちの少なくとも一方の計測値を基に、バイパスライン６に設けられた流量調整弁７の開度を調節することができる。このため、より精度よく、第七段圧縮機１７の入口へ供給する二酸化炭素Ｆの温度及び圧力のうちの少なくとも一方を設定できる。よって第七段圧縮機１７の入口へ供給する二酸化炭素Ｆの大きな物性変化を回避できる。よって第七段圧縮機１７での効率のよい圧縮が可能である。
【００４９】
さらに本実施形態では、制御部８は、第六段圧縮機１６でのサージングの発生を抑制するように、流量調整弁７の開度を調節してもよい。
本実施形態ではバイパスライン６が設けられていることで、第六段圧縮機１６で圧縮された二酸化炭素Ｆをリサイクルガスとして第六段圧縮機１６の入口に戻すことで、第六段圧縮機１６を流通する二酸化炭素Ｆの流量を増大させることができる。よって制御部８によって、高段側となる第六段圧縮機１６でサージングの発生を抑制することが可能であり、昇圧システム１を安定して運転可能である。即ち、流量調整弁７を第六段圧縮機１６でのサージングの発生を抑制するためのアンチサージ弁として使用できる。また流量調整弁７の開度を調節することで、高段側となる第六段圧縮機１６のリサイクルガスの流量を運転状態に応じて調整可能である。
また、バイパスライン６を通じて、サブクーラ５の冷媒側入口に第六段圧縮機１６で圧縮された二酸化炭素Ｆをリサイクルガスとして戻すことで、このリサイクルガスをサブクーラ５で加熱した状態で、第六段圧縮機１６に供給することができる。よって、サブクーラ５をリサイクルガス用のヒータ（リサイクルヒータ）として用いることができる。このため、リサイクルガスを加熱するために別途のヒータを設けることなく、第六段圧縮機１６に供給する前にリサイクルガスである二酸化炭素Ｆの加熱が可能である。よって、サージングを回避するためのリサイクル運転ができる。
【００５０】
さらに本実施形態では、高段側リサイクルライン６２が設けられていることで、第七段圧縮機１７で圧縮された二酸化炭素Ｆをリサイクルガスとして第七段圧縮機１７の入口に戻すことで、第七段圧縮機１７を流通する二酸化炭素Ｆの流量を増大させることができる。よって高段側となる第七段圧縮機１７でサージングの発生を抑制することが可能であり、昇圧システム１を安定して運転可能である。また調整弁６４の開度を調整することで、高段側となる第七段圧縮機１７のリサイクルガスの流量を運転状態に応じて調整可能である。
【００５１】
同様に、低段側リサイクルライン６１が設けられていることで、第五段圧縮機１５で圧縮された二酸化炭素Ｆをリサイクルガスとして第一段圧縮機１１の入口に戻すことで、第一段圧縮機１１から第五段圧縮機１５を流通する二酸化炭素Ｆの流量を増大させることができる。よって低段側の第一段圧縮機１１から第五段圧縮機１５でも、サージングの発生を抑制することが可能である。また調整弁６３の開度を調整することで、低段側のリサイクルガスの流量を運転状態に応じて調整可能である。
【００５２】
また、高段側リサイクルライン６２を通じて、サブクーラ５の入口に第七段圧縮機１７で圧縮された二酸化炭素Ｆをリサイクルガスとして戻すことで、このリサイクルガスをサブクーラ５で冷却した状態で、第七段圧縮機１７に供給することができる。よって、サブクーラ５をリサイクルガス用のクーラとして用いることができる。このため、リサイクルガスを冷却するために別途のクーラを設けることなく、第七段圧縮機１７に供給する前にリサイクルガスである二酸化炭素Ｆの冷却が可能である。よって、サージングを回避するためのリサイクル運転ができる。
【００５３】
以上、本発明の好ましい実施形態を説明したが、本発明は上記の実施形態に限定されることはない。本発明の趣旨を逸脱しない範囲で、構成の付加、省略、置換、およびその他の変更が可能である。本発明は前述した説明によって限定されることはなく、添付のクレームの範囲によってのみ限定される。
【００５４】
第六中間クーラ２６は必ずしも設けられなくともよい。
【００５５】
また、圧縮機２の段数は上述の実施形態に限定されない。
【００５６】
また、上述の昇圧システム１では二酸化炭素を対象としたシステムであるが、他の気体を昇圧するシステムであってもよい。
【００５７】
またアフタークーラ７１は必ずしも設けられなくともよい。
【産業上の利用可能性】
【００５８】
本発明は気体の昇圧を行う昇圧システム、及び気体の昇圧方法に関する。本発明の昇圧システム、及び気体の昇圧方法によれば、超臨界圧の気体を十分に、かつ、安定して冷却でき、冷却後に圧縮機での圧縮に適した状態の気体を得ることが可能である。
【符号の説明】
【００５９】
１    昇圧システム  
２    圧縮機  
４    中間クーラ  
５    サブクーラ  
６    バイパスライン  
７    流量調整弁  
８    制御部  
９    管路  
１０    歯車  
３１    温度センサ  
３２    圧力センサ  
４１    ディハイドレータ  
５１    一段インレットガイドベーン  
５２    六段インレットガイドベーン  
６１    低段側リサイクルライン  
６２    高段側リサイクルライン  
６３    調整弁  
６４    調整弁  
７１    アフタークーラ  
Ｆ    二酸化炭素  
ＳＴ１    圧縮冷却工程  
ＳＴ２    サブクーリング工程  
ＳＴ３    抽気工程  
ＳＴ４    流量調整工程
【図１】
2018051428.tif 000003
【図２】
2018051428.tif 000004
【図３】
2018051428.tif 000005
【国際調査報告】
2018051428.tif 000006
2018051428.tif 000007